(57)【要約】【課題】生活動線の効率を向上する住宅を提供する。【解決手段】住宅（１０２）は、２つ以上の出入口（１６１、１６２）を有する洗面室（１６０）と、２つ以上の出入口（１５１、１５２）を有するクローゼット（１５０）とを備え、洗面室（１６０）の出入口（１６１、１６２）を通過する回遊動線（Ｌ３）は、クローゼット（１５０）を通過する。また、住宅（１０２）は、洗面室（１６０）と、この洗面室（１６０）と隣接した浴室（１７０）とを有するユニット（１８０）と、２つ以上の出入口（１５１、１５２）を有するクローゼット（１５０）とを備え、ユニット（１８０）を取り囲む回遊動線（Ｌ５）は、クローゼット（１５０）を通過する。【選択図】図３
2015187384.tif 000002
【特許請求の範囲】
【請求項１】
２つ以上の出入口を有する洗面室と、
２つ以上の出入口を有するクローゼットとを備え、
前記洗面室の出入口を通過する回遊動線は、前記クローゼットを通過する、住宅。
【請求項２】
洗面室と、前記洗面室と隣接した浴室とを有するユニットと、
２つ以上の出入口を有するクローゼットとを備え、
前記ユニットを取り囲む回遊動線は、前記クローゼットを通過する、住宅。
【発明の詳細な説明】
【技術分野】
【０００１】
本発明は、住宅に関する。
【背景技術】
【０００２】
集合住宅、一戸建てなどの住宅においては、家事動線の短縮化が望まれている。このような住宅として、例えば、特開２００１−３１１３１６号公報（特許文献１）が挙げられる。
【０００３】
この特許文献１には、二面が洗面・脱衣室とキッチンとにそれぞれ面するとともに、残りの二面のうちの一面が他の居住空間に連絡する廊下に面して設けられた洗濯室を備えた住宅が開示されている。この特許文献１の住宅においては、廊下を挟んだ洗濯室の表側にはウォークインクローゼットが設けられていて、このウォークインクローゼットの出入口と洗濯室の出入口とが廊下を挟んで対面する側壁に設けられている。
【先行技術文献】
【特許文献】
【０００４】
【特許文献１】特開２００１−３１１３１６号公報
【発明の概要】
【発明が解決しようとする課題】
【０００５】
上記特許文献１は、洗濯動線と炊事動線とのスムーズな切り替えを可能として主婦の家事動線の短縮化を図った技術であり、洗濯室を中心に考えられている。しかしながら、住宅の居住者にとって、洗濯室が１日の生活の中心でない場合があり、生活動線の効率化が十分でない場合がある。
【０００６】
本発明は、上記問題点に鑑み、生活動線の効率を向上する住宅を提供することを課題とする。
【課題を解決するための手段】
【０００７】
本発明の一の局面における住宅は、２つ以上の出入口を有する洗面室と、２つ以上の出入口を有するクローゼットとを備え、洗面室の出入口を通過する回遊動線は、クローゼットを通過する。
【０００８】
本発明の一の局面における住宅において好ましくは、洗面室と隣接した浴室をさらに備えている。
【０００９】
本発明の一の局面における住宅において好ましくは、回遊動線は、洗面室と浴室との間を通過する。
【００１０】
本発明の他の局面における住宅は、洗面室と、この洗面室と隣接した浴室とを有するユニットと、２つ以上の出入口を有するクローゼットとを備え、ユニットを取り囲む回遊動線は、クローゼットを通過する。
【００１１】
本発明の他の局面における住宅において好ましくは、回遊動線に沿って設けられた複数の部屋をさらに備え、複数の部屋のそれぞれは、２つ以上の出入口を有している。
【００１２】
本発明の一及び他の局面における住宅において好ましくは、回遊動線に沿って設けられたキッチンをさらに備えている。
【００１３】
本発明の一及び他の局面における住宅において好ましくは、洗面室の出入口の少なくとも１つは、クローゼットの出入口と共通である。
【００１４】
本発明の一及び他の局面における住宅において好ましくは、クローゼットは、３つ以上の出入口を有し、クローゼットにおいて、洗面室の出入口と共通する出入口は、他の出入口の間に配置されている。
【００１５】
本発明の一及び他の局面における住宅において好ましくは、クローゼットに隣接され、かつ出入口を有する部屋をさらに備え、部屋の出入口は、クローゼットの出入口の少なくとも１つと共通である。
【００１６】
本発明の一及び他の局面における住宅において好ましくは、洗面室を介して部屋と対向する位置に設けられたリビングをさらに備えている。
【発明の効果】
【００１７】
本発明の住宅によれば、生活動線の効率を向上することができる。
【図面の簡単な説明】
【００１８】
【図１】本発明の実施の形態１における住宅を概略的に示す平面図である。
【図２】本発明の実施の形態２における住宅を概略的に示す平面図である。
【図３】本発明の実施の形態３における住宅を概略的に示す平面図である。
【図４】本発明の実施の形態３の変形例１における住宅を概略的に示す平面図である。
【図５】本発明の実施の形態３の変形例２における住宅を概略的に示す平面図である。
【図６】本発明の実施の形態４における住宅を概略的に示す平面図である。
【発明を実施するための形態】
【００１９】
以下、図面に基づいて本発明の実施の形態を説明する。なお、以下の図面において同一または相当する部分には同一の参照符号を付しその説明は繰り返さない。また、図１〜図６において、紙面上を北、紙面下を南、紙面左を西、紙面右を東として、以下、説明する。
【００２０】
（実施の形態１）
図１を参照して、本発明の一実施形態の住宅について説明する。本発明の実施の形態１の住宅１００は、玄関１１０と、廊下１２０と、リビングダイニングキッチン（ＬＤＫ）１３０と、洋室１４０と、クローゼット１５０と、洗面室１６０と、浴室１７０と、トイレ１９０とを備えている。
【００２１】
玄関１１０は、北西角に設けられている。この玄関１１０の南側には、廊下１２０が設けられている。この廊下１２０の南側には、キッチン１３１とダイニング１３２とリビング１３３とを有するＬＤＫ１３０が設けられている。廊下１２０の東側には、洋室１４０が設けられている。この洋室１４０の南側には、クローゼット１５０が設けられている。このクローゼット１５０の南側には、洗面室１６０と、この洗面室１６０と隣接した浴室１７０とを有するユニット１８０が設けられている。ユニット１８０において、洗面室１６０は西側に配置され、浴室１７０は東側に配置されている。トイレ１９０は、玄関１１０と隣接するとともに、ユニット１８０と分離した位置に設けられている。
【００２２】
洗面室１６０は、洗面室１６０へ出入りするための２つの出入口１６１、１６２を有している。なお、洗面室１６０は３つ以上の出入口を有していてもよい。この洗面室１６０は、洗面台を有しており、脱衣所として機能してもよく、洗濯機を収容してもよい。
【００２３】
ここで、洗面室１６０の出入口１６１、１６２を通過する回遊動線Ｌ１について説明する。回遊動線Ｌ１は、洗面室１６０の出入口１６１、１６２を結び、行き止まりのない動線のうち、迂回しない動線である。つまり、回遊動線Ｌ１は、洗面室１６０の出入口１６１、１６２を通過する最少長さの動線である。回遊動線Ｌ１は、略円形状であり、合理的な動線である。本実施の形態の回遊動線Ｌ１は、洗面室１６０の出入口１６１、１６２を結び、かつ洗面室１６０を構成する壁の一部を取り囲む動線である。具体的には、回遊動線Ｌ１は、洗面室１６０、クローゼット１５０、及びＬＤＫ１３０を通過する。なお、回遊動線Ｌ１が通過する洗面室１６０の出入口１６１、１６２とは、浴室１７０への出入口を含まない。
【００２４】
洗面室１６０と隣接して浴室１７０が設けられている。浴室１７０は、出入口１７１を有している。浴室１７０は、出入口１７１を介して洗面室１６０と出入り可能であり、出入口１７１と異なる壁（洗面室１６０と同一の壁）により洗面室１６０と区切られている。つまり、隣接とは、共通の壁を隔てて隣り合っており、共通の壁は出入口を含まない。
【００２５】
本実施の形態では、回遊動線Ｌ１は、洗面室１６０と浴室１７０との間を通過する。換言すると、回遊動線Ｌ１を挟んで、洗面室１６０と浴室１７０とが対向するように配置されている。また、浴室１７０の出入口１７１は、洗面室１６０側に設けられている。
【００２６】
クローゼット１５０は、回遊動線Ｌ１が通過するように設けられている。また、クローゼット１５０は、ユニット１８０を三方から取り囲む動線が通過するように設けられている。なお、本実施の形態におけるユニット１８０を取り囲む動線は、回遊動線ではない。
【００２７】
クローゼット１５０は、２以上の出入口を有しており、本実施の形態では、３つの出入口１５１、１５２、１６１を有している。クローゼット１５０は、２つ以上の出入口を介して通り抜けができるウォークスルークローゼットであり、人が中に入って収納物の出し入れができる程度の広さを有する収納スペースを有し、小部屋、倉庫などであってもよい。また、クローゼット１５０は、内部で着替えなどをするスペースとして用いてもよい。
【００２８】
クローゼット１５０の出入口１６１は、洗面室１６０の出入口１６１と共通である。換言すると、出入口１６１は、洗面室１６０とクローゼット１５０との開閉可能な仕切りである。この出入口１６１は、クローゼット１５０の最大の長さを構成する出入口１５１、１５２の間に位置している。つまり、出入口１６１は、クローゼット１５０の延在方向に位置する最も遠い出入口１５１、１５２の間に設けられている。回遊動線Ｌ１は、この出入口１５１、１５２の一方である出入口１５１と、その間に位置する出入口１６１とを結ぶように通過する。なお、クローゼット１５０の出入口は、２つであってもよく、４つ以上であってもよい。
【００２９】
本実施の形態では、クローゼット１５０は、洗面室１６０及び浴室１７０（ユニット１８０）と隣接し、クローゼット１５０の壁の一部は、洗面室１６０及び浴室１７０の壁の一部と共通である。洗面室１６０及び浴室１７０と、クローゼット１５０との共通の壁には、除湿機能を有する材質が用いられている。
【００３０】
このクローゼット１５０に隣接した洋室１４０が設けられている。この洋室１４０は、２つの出入口１４１、１５２を有している。出入口１５２はクローゼット１５０の出入口１５２と共通であり、出入口１４１は、廊下１２０の出入口と共通である。なお、洋室１４０の出入口は１つであってもよく、３つ以上であってもよい。この洋室１４０は、例えば、寝室として利用される。
【００３１】
また、回遊動線Ｌ１に沿ってキッチン１３１が設けられている。言い換えると、回遊動線Ｌ１上にキッチン１３１が配置されている。このキッチン１３１は、シンク、コンロ、作業台などを含む。本実施の形態では、作業台と洗面室１６０とが隣接し、回遊動線Ｌ１を挟んで、流し台及びコンロと、作業台とが対向している。
【００３２】
キッチン１３１の西側にはダイニング１３２が設けられている。キッチン１３１及びダイニング１３２の南側には、リビング１３３が設けられている。このリビング１３３は、洗面室１６０を介して、洋室１４０と対向する位置に配置されている。本実施の形態のリビング１３３は、洗面室１６０及び浴室１７０（ユニット１８０）と対向する位置に設けられている。
【００３３】
ＬＤＫ１３０は、キッチン１３１とダイニング１３２とリビング１３３とで構成され、本実施の形態では、互いを区切るための出入口、壁などは設けられていない。また、ＬＤＫ１３０は、略Ｌ字形状である。
【００３４】
このＬＤＫ１３０は、３つの出入口１３４、１５１、１６２を有している。出入口１５１はクローゼット１５０の出入口と共通であり、出入口１３４は廊下１２０の出入口と共通であり、出入口１６２は洗面室１６０の出入口と共通である。なお、ＬＤＫ１３０の出入口は２つ以下であってもよく、４つ以上であってもよい。
【００３５】
回遊動線Ｌ１に沿って、洗面室１６０、クローゼット１５０、及びＬＤＫ１３０が設けられている。これらの部屋のそれぞれは、２つ以上の出入口を有している。
【００３６】
本実施の形態において、出入口とは、壁の開口部に設けられる開閉機能を持つ仕切りであり、例えば、開き戸、引き戸、折戸などの建具を用いることができる。
【００３７】
以上説明したように、本実施の形態における住宅１００は、２つ以上の出入口１６１、１６２を有する洗面室１６０と、２つ以上の出入口１５１、１５２、１６１を有するクローゼット１５０とを備え、洗面室１６０の出入口１６１、１６２を通過する回遊動線Ｌ１は、クローゼット１５０を通過する。
【００３８】
本実施の形態における住宅１００によれば、１日に複数回の使用が想定される洗面室１６０に出入口１６１、１６２を２つ以上設け、この出入口１６１、１６２を結ぶ回遊動線Ｌ１が通過するクローゼット１５０に出入口１５１、１５２、１６１を２つ以上設けている。これにより、洗面室１６０を使用する時の動線の一部を、クローゼット１５０を通過する動線として利用できる。つまり、洗面室１６０を使用する際の回遊動線Ｌ１の過程でクローゼット１５０を通過することができる。このため、洗面室１６０からクローゼット１５０に移動した後、洗面室１６０以外に移動することが可能となる。したがって、本実施の形態の住宅１００は、生活動線の効率を向上することができる。
【００３９】
本実施の形態の住宅１００において好ましくは、洗面室１６０と隣接した浴室１７０をさらに備えている。洗面室１６０と浴室１７０とを隣接してユニット化することによりコンパクトにできるので、限られた住居空間を有効活用することができる。
【００４０】
本実施の形態の住宅１００において好ましくは、回遊動線Ｌ１は、洗面室１６０と浴室１７０との間を通過する。これにより、洗面室１６０と浴室１７０とが向かい合うように配置されるので、生活動線の効率をより向上することができる。
【００４１】
本実施の形態の住宅１００において好ましくは、回遊動線Ｌ１に沿って設けられたキッチン１３１をさらに備えている。キッチン１３１は使用する頻度が相対的に多いので、回遊動線Ｌ１上にキッチンが配置されていると、生活動線の効率をより向上することができる。
【００４２】
本実施の形態における住宅１００において好ましくは、洗面室１６０の出入口１６１、１６２の少なくとも１つである出入口１６１は、クローゼット１５０の出入口と共通である。
【００４３】
これにより、出入口１６１のみを介して、クローゼット１５０と洗面室１６０との行き来が可能になる。つまり、２つ以上の建具を介さずに、クローゼット１５０と洗面室１６０との行き来が可能になる。このため、クローゼット１５０で着替えて洗面室１６０に行く際の動線、洗面室１６０で洗顔後にクローゼット１５０で着替える際の動線などの生活動線の効率をより向上することができる。
【００４４】
本実施の形態における住宅１００において好ましくは、クローゼット１５０は、３つ以上の出入口１５１、１５２、１６１を有し、クローゼット１５０において、洗面室１６０の出入口と共通する出入口１６１は、他の出入口１５１、１５２の間に配置されている。
【００４５】
これにより、クローゼット１５０は、回遊動線Ｌ１上に位置しない出入口１５２を有するので、クローゼット１５０において回遊動線Ｌ１と異なる動線を形成することができる。このため、生活動線の効率をより向上することができる。
【００４６】
本実施の形態における住宅１００において好ましくは、クローゼット１５０に隣接され、かつ出入口１４１、１５２を有する部屋（本実施の形態における洋室１４０）をさらに備え、部屋（洋室１４０）の出入口１４１、１５２の少なくとも１つである出入口１５２は、クローゼット１５０の出入口１５１、１５２、１６１の少なくとも１つである出入口１５２と共通である。
【００４７】
洋室１４０を寝室として利用する場合、起床時に、洋室１４０とクローゼット１５０との共通の出入口１５２を介して、クローゼット１５０で着替えた後に、洗顔のために洗面室１６０へ移動する動線、就寝前に、洗面室１６０で歯磨きをして、クローゼット１５０で着替えた後に、就寝のため洋室１４０へ移動する動線などの生活動線の効率をより向上することができる。
【００４８】
本実施の形態における住宅１００において好ましくは、洗面室１６０を介して部屋（洋室１４０）と対向する位置に設けられたリビング１３３をさらに備えている。
【００４９】
これにより、１日に複数回の使用が想定される洗面室１６０を中心に、リビング１３３と洋室１４０とを対照位置に配置しているので、洗面室１６０とリビング１３３との生活動線、及び、洗面室１６０と洋室１４０との生活動線の効率を向上できる。さらに、洗面室１６０でリビング１３３及び洋室１４０を区切ることができるので、洋室１４０及びリビング１３３の方角、広さなどの設計の幅が広がるため、限られた住居空間を有効活用することができる。
【００５０】
（実施の形態２）
図２を参照して、本発明の実施の形態２の住宅１０１について説明する。本実施の形態の住宅１０１は、実施の形態１と同様に、玄関１１０と、廊下１２０と、ＬＤＫ１３０と、洋室１４０と、クローゼット１５０と、洗面室１６０と、浴室１７０と、トイレ１９０とを備えている。
【００５１】
玄関１１０は、北側中央に設けられている。この玄関１１０の南側には、廊下１２０が設けられている。この廊下１２０の東側には、略矩形状のＬＤＫ１３０が設けられている。廊下１２０の南側には洗面室１６０が設けられている。この洗面室１６０の南側には浴室１７０が設けられている。この浴室１７０の南側にはクローゼット１５０が設けられている。このクローゼット１５０の南側には洋室１４０が設けられている。
【００５２】
洗面室１６０は１つの出入口１６１を有している。この出入口１６１は、廊下１２０と洗面室１６０とを仕切ることが可能である。なお、洗面室１６０の出入口は２つ以上であってもよい。
【００５３】
この洗面室１６０と隣接して、浴室１７０が設けられている。洗面室１６０と浴室１７０とを有するユニット１８０は、住宅１０１の略中央に位置している。
【００５４】
ここで、ユニット１８０を取り囲む回遊動線Ｌ２について説明する。回遊動線Ｌ２は、ユニット１８０の全周を取り囲み、行き止まりのない動線のうち、迂回しない動線である。つまり、回遊動線Ｌ２は、ユニット１８０の周囲の動線のうち、最少長さの動線である。
【００５５】
クローゼット１５０は、回遊動線Ｌ２が通過するように設けられている。本実施の形態のクローゼット１５０は、略Ｌ字形状である。
【００５６】
クローゼット１５０は、２以上の出入口１５１、１５２を有している。出入口１５１は、廊下１２０の出入口と共通であり、出入口１５２は、洋室１４０の出入口と共通である。なお、クローゼット１５０の出入口は３つ以上であってもよい。この場合、クローゼット１５０の出入口の少なくとも１つは、洗面室１６０の出入口１６１と共通であることが好ましい。
【００５７】
このクローゼット１５０に隣接して洋室１４０が設けられている。この洋室１４０は、２つの出入口１４１、１５２を有している。出入口１５２はクローゼット１５０の出入口と共通であり、出入口１４１はＬＤＫ１３０の出入口と共通である。なお、洋室１４０の出入口は１つであってもよく、３つ以上であってもよい。
【００５８】
この洋室１４０と出入口１４１を介してつながるようにＬＤＫ１３０を構成するリビング１３３が設けられている。このリビング１３３の北側には、キッチン１３１が設けられている。キッチン１３１は、回遊動線Ｌ２に沿って配置されている。このキッチン１３１の北側には、ダイニング１３２が設けられている。
【００５９】
ＬＤＫ１３０は、２つの出入口１３４、１４１を有している。出入口１４１は洋室１４０の出入口と共通であり、出入口１３４は廊下１２０の出入口と共通である。なお、ＬＤＫ１３０の出入口は１つであってもよく、３つ以上であってもよい。
【００６０】
キッチン１３１は、浴室１７０と隣接しており、ユニット１８０と一塊になるように配置されている。また、キッチン１３１は、クローゼット１５０とも隣接している。
【００６１】
本実施の形態の回遊動線Ｌ２は、廊下１２０、クローゼット１５０、洋室１４０、及びＬＤＫ１３０を通過する。つまり、回遊動線Ｌ２に沿って、廊下１２０、クローゼット１５０、洋室１４０、及びＬＤＫ１３０が設けられている。これらの部屋のそれぞれは、２つ以上の出入口を有している。具体的には、廊下１２０は出入口１３４、１６１を有し、クローゼット１５０は出入口１７１、１５２を有し、洋室１４０は出入口１５２、１４１を有し、ＬＤＫ１３０は出入口１４１、１３４を有している。
【００６２】
以上説明したように、本実施の形態の住宅１０１は、洗面室１６０と、この洗面室１６０と隣接した浴室１７０とを有するユニット１８０と、２つ以上の出入口１５１、１５２を有するクローゼット１５０とを備え、ユニット１８０を取り囲む回遊動線Ｌ２はクローゼット１５０を通過する。
【００６３】
本実施の形態の住宅１０１によれば、水回りの洗面室１６０及び浴室１７０をユニット１８０とし、このユニット１８０を取り囲む回遊動線Ｌ２が通過するように、２つ以上の出入口１５１、１５２を有するクローゼット１５０を設けている。洗面室１６０は１日に複数回の使用が想定され、浴室１７０と合わせてユニット１８０は１日の生活に不可欠な要素である。このユニット１８０を使用する時の動線の一部を、クローゼット１５０を通過する動線として利用できる。つまり、ユニット１８０を使用する際の回遊動線Ｌ２の過程でクローゼット１５０を通過することができる。このため、ユニット１８０からクローゼット１５０に移動した後、ユニット１８０以外に移動することが可能となる。したがって、本実施の形態の住宅１０１は、生活動線の効率を向上することができる。
【００６４】
また、本実施の形態の住宅１０１において好ましくは、回遊動線Ｌ２に沿って設けられた複数の部屋（本実施の形態における廊下１２０、クローゼット１５０、洋室１４０、及びＬＤＫ１３０）をさらに備え、この複数の部屋（廊下１２０、クローゼット１５０、洋室１４０、及びＬＤＫ１３０）のそれぞれは、２つ以上の出入口を有している。
【００６５】
これにより、ユニット１８０を取り囲む回遊動線Ｌ２の中で、複数の部屋を通り抜けることができる。このため、生活動線の効率を向上できるとともに、限られた住居空間を有効活用することができる。
【００６６】
本実施の形態における住宅１０１において好ましくは、クローゼット１５０に隣接され、かつ出入口１４１、１５２を有する部屋（本実施の形態における洋室１４０）をさらに備え、この部屋（洋室１４０）の出入口１４１、１５２の少なくとも１つである出入口１５２は、クローゼット１５０の出入口１５１、１５２の少なくとも１つである出入口１５２と共通である。
【００６７】
洋室１４０を寝室として利用する場合、起床時に、出入口１５２を介して洋室１４０からクローゼット１５０に移動し、クローゼット１５０で着替えた後、洗顔のために洗面室１６０へ移動する動線、就寝前に、浴室１７０で入浴後に、洗面室１６０を介してクローゼット１５０に移動し、クローゼット１５０で着替えて、洋室１４０へ移動する動線などの生活動線の効率をより向上することができる。
【００６８】
本実施の形態の住宅１０１において好ましくは、回遊動線Ｌ２に沿って設けられたキッチン１３１をさらに備え、キッチン１３１とユニット１８０とは隣接している。
【００６９】
キッチン１３１は使用する頻度が相対的に多いので、回遊動線Ｌ２上にキッチン１３１が配置されていると、生活動線の効率をより向上することができる。それに加えて、洗面室１６０及び浴室１７０にキッチン１３１をユニット化できるので、水回りを集めることができる。
【００７０】
（実施の形態３）
図３を参照して、本発明の実施の形態３の住宅１０２について説明する。本実施の形態の住宅１０２は、実施の形態１と同様に、玄関１１０と、廊下１２０と、ＬＤＫ１３０と、洋室１４０と、クローゼット１５０と、洗面室１６０と、浴室１７０と、トイレ１９０を備えている。
【００７１】
玄関１１０は、北西角に設けられている。この玄関１１０の奥には、廊下１２０が設けられている。この廊下１２０の南側には、略Ｕ字形状のＬＤＫ１３０が設けられている。廊下１２０の東側には、洋室１４０が設けられている。この洋室１４０の東側には、クローゼット１５０が設けられている。洋室１４０の南側には、洗面室１６０と、この洗面室１６０と隣接した浴室１７０とを有するユニット１８０が設けられている。ユニット１８０において、洗面室１６０は北側に配置され、浴室１７０は南側に配置されている。
【００７２】
洗面室１６０は、ＬＤＫ１３０の出口と共通の２つの出入口１６１、１６２を有している。出入口１６１は、洗面室１６０とキッチン１３１とを仕切ることが可能である。出入口１６２は、洗面室１６０とリビング１３３とを仕切ることが可能である。なお、洗面室１６０は３つ以上の出入口を有していてもよい。
【００７３】
ここで、洗面室１６０の出入口１６１、１６２を通過する回遊動線Ｌ３、Ｌ４について説明する。回遊動線Ｌ３、Ｌ４は、洗面室１６０の出入口１６１、１６２を結び、行き止まりのない動線のうち、迂回しない動線である。つまり、回遊動線Ｌ３、Ｌ４は、洗面室１６０の出入口１６１、１６２を通過する最少長さの動線であり、本実施の形態では２つの回遊動線Ｌ３、Ｌ４が形成される。本実施の形態の回遊動線Ｌ３、Ｌ４のそれぞれは、洗面室１６０の出入口１６１、１６２を結び、かつ洗面室１６０を構成する壁の異なる部分を取り囲む動線である。具体的には、回遊動線Ｌ３は、洗面室１６０、キッチン１３１、クローゼット１５０、洋室１４０、廊下１２０及びリビング１３３を通過し、回遊動線Ｌ４は、洗面室１６０、リビング１３３、ダイニング１３２及びキッチン１３１を通過する。
【００７４】
洗面室１６０と隣接して、浴室１７０が設けられている。本実施の形態では、回遊動線Ｌ３、Ｌ４は、洗面室１６０と浴室１７０との間を通過する。洗面室１６０と浴室１７０とを有するユニット１８０は、住宅１０１の略中央に位置している。
【００７５】
ここで、ユニット１８０を取り囲む回遊動線Ｌ５について説明する。回遊動線Ｌ５は、ユニット１８０の全周を取り囲み、行き止まりのない動線のうち、迂回しない最短長さの動線である。本実施の形態の回遊動線Ｌ５は、廊下１２０、リビング１３３、ダイニング１３２、キッチン１３１、クローゼット１５０、及び洋室１４０を通過する。
【００７６】
クローゼット１５０は、回遊動線Ｌ３、Ｌ５が通過するように設けられている。本実施の形態のクローゼット１５０は、略矩形状である。
【００７７】
クローゼット１５０は、２つの出入口１５１、１５２を有している。出入口１５１は、ＬＤＫ１３０の出入口と共通であり、出入口１５２は、洋室１４０と共通である。なお、クローゼット１５０の出入口は３つ以上であってもよい。
【００７８】
このクローゼット１５０に隣接して洋室１４０が設けられている。この洋室１４０は、２つの出入口１４１、１５２を有している。出入口１５２はクローゼット１５０の出入口１５２と共通であり、出入口１４１は廊下１２０の出入口と共通である。なお、洋室１４０の出入口は１つであってもよく、３つ以上であってもよい。
【００７９】
この洋室１４０と、出入口１４１を介してつながるように廊下１２０が設けられている。この廊下１２０と出入口１３４を介してつながるようにＬＤＫ１３０を構成するリビング１３３が設けられている。リビング１３３は、ユニット１８０を介して洋室１４０と対向する位置に配置されている。このリビング１３３の東側には、ダイニング１３２が設けられている。このダイニング１３２の北側には、キッチン１３１が設けられている。キッチン１３１は、浴室１７０と隣接しており、ユニット１８０と一塊になるように配置されている。
【００８０】
本実施の形態では、回遊動線Ｌ３、Ｌ４、Ｌ５に沿って、ＬＤＫ１３０が設けられ、キッチン１３１は回遊動線Ｌ４、Ｌ５に沿って設けられている。
【００８１】
ＬＤＫ１３０は、４つの出入口１３４、１５１、１６１、１６２を有している。出入口１３４は廊下１２０の出入口と共通であり、出入口１５１はクローゼット１５０の出入口と共通であり、出入口１６１、１６２は洗面室１６０の出入口と共通である。なお、ＬＤＫ１３０の出入口は３つ以下であってもよく、５つ以上であってもよい。
【００８２】
回遊動線Ｌ３に沿って、洗面室１６０、ＬＤＫ１３０、クローゼット１５０、洋室１４０、及び廊下１２０が設けられ、これらの部屋のそれぞれは、２つ以上の出入口を有している。回遊動線Ｌ４に沿って、洗面室１６０、及びＬＤＫ１３０が設けられ、これらの部屋のそれぞれは２つ以上の出入口を有している。回遊動線Ｌ５に沿って、廊下１２０、ＬＤＫ１３０、クローゼット１５０、及び洋室１４０が設けられ、これらの部屋のそれぞれは２つ以上の出入口を有している。
【００８３】
以上説明したように、本実施の形態の住宅１０２は、２つ以上の出入口１６１、１６２を有する洗面室１６０と、２つ以上の出入口１５１、１５２を有するクローゼット１５０とを備え、洗面室１６０の出入口１６１、１６２を通過する回遊動線Ｌ３は、クローゼット１５０を通過する。また、本実施の形態の住宅１０２は、洗面室１６０と、この洗面室１６０と隣接した浴室１７０とを有するユニット１８０と、２つ以上の出入口１５１、１５２を有するクローゼット１５０とを備え、ユニット１８０を取り囲む回遊動線Ｌ５はクローゼット１５０を通過する。
【００８４】
本実施の形態の住宅１０２によれば、洗面室１６０の出入口１６１、１６２を通過する回遊動線Ｌ３及びユニット１８０を取り囲む回遊動線Ｌ５がクローゼット１５０を通過するので、実施の形態１及び２で説明したように、生活動線の効率を向上することができる。
【００８５】
（変形例１）
図４を参照して、実施の形態３の変形例１における住宅１０２ａについて説明する。変形例１の住宅１０２ａは、基本的には図３に示す住宅１０２と同様の構成を備えているが、キッチンの構造において異なる。具体的には、変形例１のキッチン１３１ａにおいては、キッチン１３１ａの作業台が浴室１７０と隣接しており、シンク及びコンロと、作業台とが、図３に示すキッチン１３１とは反対に配置されている。
【００８６】
実施の形態３の変形例１の住宅によれば、キッチン１３１ａの作業台側がユニット１８０と隣接しているので、家事動線の効率を向上することができる。
【００８７】
（変形例２）
図５を参照して、実施の形態３の変形例２における住宅１０２ｂについて説明する。変形例２の住宅１０２ｂは、基本的には図３に示す住宅１０２と同様の構成を備えているが、クローゼットの構造において異なる。
【００８８】
具体的には、変形例２のクローゼット１５０ｂは、３つの出入口１５１ｂ、１５２、１６１を有しており、出入口１６１は洗面室１６０の出入口と共通である。また、クローゼット１５０ｂにおいて、洗面室１６０の出入口と共通する出入口１６１は、他の出入口１５１ｂ、１５２の間に配置されている。
【００８９】
実施の形態３の変形例２の住宅１０２ｂによれば、クローゼット１５０ｂで着替えて洗面室１６０に行く際の動線、洗面室１６０の使用後にクローゼット１５０ｂで着替える際の動線などの生活動線の効率をより向上することができる。
【００９０】
（実施の形態４）
図６を参照して、本発明の実施の形態４の住宅１０３について説明する。本実施の形態の住宅１０３は、実施の形態１と同様に、玄関１１０と、廊下１２０と、ＬＤＫ１３０と、洋室１４０と、クローゼット１５０と、洗面室１６０と、浴室１７０と、トイレ１９０とを備えている。
【００９１】
玄関１１０は、北西角に設けられている。この玄関１１０の南側には、廊下１２０が設けられている。この廊下１２０の南側には、略Ｔ字形状のＬＤＫ１３０が設けられている。廊下１２０の東側には、洋室１４０が設けられている。この洋室１４０の南側には、クローゼット１５０が設けられている。洋室１４０の南側で、かつＬＤＫ１３０とクローゼット１５０との間には、洗面室１６０と、この洗面室１６０と隣接した浴室１７０とを有するユニット１８０が設けられている。ユニット１８０において、洗面室１６０は南側に配置され、浴室１７０は北側に配置されている。
【００９２】
洗面室１６０は、２つの出入口１６１、１６２を有している。出入口１６１、１６２は、洗面室１６０とＬＤＫ１３０とを仕切ることが可能である。なお、洗面室１６０は３つ以上の出入口を有していてもよい。
【００９３】
ここで、洗面室１６０の出入口１６１、１６２を通過する回遊動線Ｌ６、Ｌ７について説明する。回遊動線Ｌ６、Ｌ７は、洗面室１６０の出入口１６１、１６２を結び、行き止まりのない動線のうち、迂回しない動線である。本実施の形態では、２つの回遊動線Ｌ６、Ｌ７が形成される。具体的には、回遊動線Ｌ６は、洗面室１６０、ＬＤＫ１３０、廊下１２０、洋室１４０及びクローゼット１５０を通過し、回遊動線Ｌ７は、洗面室１６０及びＬＤＫ１３０を通過する。
【００９４】
この洗面室１６０と隣接する浴室１７０と、洗面室１６０との間には、回遊動線Ｌ６、Ｌ７が通過する。洗面室１６０と浴室１７０とを有するユニット１８０は、住宅１０３の略中央に位置している。
【００９５】
ここで、ユニット１８０を取り囲む回遊動線Ｌ８について説明する。回遊動線Ｌ８は、ユニット１８０の全周を取り囲み、行き止まりのない動線のうち、迂回しない動線である。本実施の形態の回遊動線Ｌ８は、廊下１２０、ＬＤＫ１３０、クローゼット１５０、及び洋室１４０を通過する。
【００９６】
クローゼット１５０は、回遊動線Ｌ６、Ｌ８が通過するように設けられている。本実施の形態のクローゼット１５０は、略矩形状である。
【００９７】
クローゼット１５０は、廊下１２０及びクローゼット１５０と共通の２つの出入口１５１、１５２を有している。なお、クローゼット１５０の出入口は３つ以上であってもよい。
【００９８】
このクローゼット１５０に隣接して洋室１４０が設けられている。この洋室１４０は、クローゼット１５０及びＬＤＫ１３０と共通の２つの出入口１４１、１５２を有している。なお、洋室１４０の出入口は１つであってもよく、３つ以上であってもよい。
【００９９】
この洋室１４０に隣接して廊下１２０が設けられ、この廊下１２０と隣接してＬＤＫ１３０を構成するダイニング１３２が設けられている。このダイニング１３２の南側にはリビングが設けられ、ダイニング１３２の東側にはキッチン１３１が設けられている。リビング１３３は、ユニット１８０を介して洋室１４０と対向する位置に配置されている。本実施の形態では、回遊動線Ｌ６、Ｌ７、Ｌ８に沿って、ＬＤＫ１３０が設けられ、回遊動線Ｌ７、Ｌ８に沿ってキッチン１３１が設けられている。
【０１００】
ＬＤＫ１３０は、出入口１３４、１５１、１６１、１６２を有している。出入口１３４は廊下１２０の出入口と共通であり、出入口１５１はクローゼット１５０の出入口と共通であり、出入口１６１、１６２は洗面室１６０の出入口と共通である。なお、ＬＤＫ１３０の出入口は１つであってもよく、３つ以上であってもよい。
【０１０１】
キッチン１３１は、洗面室１６０と隣接しており、ユニット１８０と一塊になるように配置されている。
【０１０２】
回遊動線Ｌ６に沿って、洗面室１６０、ＬＤＫ１３０、廊下１２０、洋室１４０及びクローゼット１５０が設けられ、これらの部屋のそれぞれは、２つ以上の出入口を有している。回遊動線Ｌ７に沿って、洗面室１６０及びリビング１３３が設けられ、これらの部屋のそれぞれは、２つ以上の出入口を有している。回遊動線Ｌ８に沿って、洋室１４０、クローゼット１５０、ＬＤＫ１３０、及び廊下１２０が設けられ、これらの部屋のそれぞれは、２つ以上の出入口を有している。
【０１０３】
以上説明したように、本実施の形態の住宅１０３によれば、実施の形態３と同様に、洗面室１６０の出入口１６１、１６２を通過する回遊動線Ｌ６、Ｌ７は、クローゼット１５０を通過するとともに、ユニット１８０を取り囲む回遊動線Ｌ８はクローゼット１５０を通過するので、生活動線の効率を向上することができる。
【０１０４】
ここで、上記実施の形態１〜３においては、住居として集合住宅を例に挙げて説明したが、本発明の住宅は、戸建ての住宅にも適用可能である。なお、本発明の住宅は、円の生活動線を合理的に描くものであるため、女性向けの集合住宅に好適に用いられる。
【０１０５】
以上のように本発明の実施の形態及び変形例について説明を行なったが、各実施の形態及び変形例の特徴を適宜組み合わせることも当初から予定している。また、今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【符号の説明】
【０１０６】
１００，１０１，１０２，１０２ａ，１０２ｂ，１０３  住宅、１１０  玄関、１２０  廊下、１３０  ＬＤＫ、１３１，１３１ａ  キッチン、１３２  ダイニング、１３３  リビング、１３４，１４１，１５１，１５１ｂ，１５２，１６１，１６２，１７１  出入口、１４０  洋室、１５０，１５０ｂ  クローゼット、１６０  洗面室、１７０  浴室、１８０  ユニット、１９０  トイレ、Ｌ１，Ｌ２，Ｌ３，Ｌ４，Ｌ５，Ｌ６，Ｌ７，Ｌ８  回遊動線。
【図１】
2015187384.tif 000003
【図２】
2015187384.tif 000004
【図３】
2015187384.tif 000005
【図４】
2015187384.tif 000006
【図５】
2015187384.tif 000007
【図６】
2015187384.tif 000008